(57)【特許請求の範囲】
【請求項１】
入金された貨幣を収納する第１収納部と、
着脱自在に設けられる第２収納部と、
前記第１収納部が収納可能な収納枚数の上限を超えた貨幣を前記第２収納部に排出するオーバーフロー排出部と、
前記第２収納部が取り付けられていることを検知する検知部と、
前記第１収納部に収納された貨幣の全部又は一部を前記第２収納部に排出する排出要求に係る入力を受け付ける入力手段と、
前記入力手段が前記排出要求を受け付けたことを条件に、前記第２収納部に貨幣が収納されているかを前記オーバーフロー排出部の排出実績に基づいて判定する判定手段と、
前記判定手段が前記第２収納部に貨幣が収納されていると判定した場合に、前記第２収納部が新たに取り付けられたことを前記検知部が検知したことを条件に、前記第１収納部に収納されている貨幣を前記第２収納部に排出させる排出制御手段と、
を備える入出金装置。
【請求項２】
前記判定手段が前記第２収納部に貨幣が収納されていると判定したことを条件に、前記第２収納部に収納されている貨幣の回収を要求する回収要求画面の表示要求を、表示部を有する情報処理装置に送信する送信手段を更に備える、
請求項１に記載の入出金装置。
【請求項３】
前記送信手段は、前記回収要求画面の前記表示要求を送信する際に、前記第２収納部の取り外しを防止する電子ロックを開錠させる開錠要求を、当該電子ロックを有する情報処理装置に送信する、
請求項２に記載の入出金装置。
【請求項４】
表示部と、
第１収納部に収納しきれずに溢れ出た貨幣を収納する第２収納部を備える入出金装置に対して、前記第１収納部に収納された前記貨幣の全部又は一部を前記第２収納部に排出する排出要求に係る入力を受け付けた場合に、前記第２収納部に前記貨幣が収納されていることを条件に、当該入出金装置から送信された前記第２収納部に収納されている貨幣の回収を要求する回収要求画面の表示要求を受信する受信手段と、
前記受信手段が前記表示要求を受信したことを条件に、前記表示部に前記回収要求画面を表示させる表示制御手段と、
を備える情報処理装置。
【請求項５】
表示部と、
入金された貨幣を収納する第１収納部と、
着脱自在に設けられる第２収納部と、
前記第１収納部が収納可能な収納枚数の上限を超えた貨幣を前記第２収納部に排出するオーバーフロー排出部と、
前記第２収納部が取り付けられていることを検知する検知部と、
入金された貨幣の金額と、一取引に係る売上登録した商品の合計金額とから釣銭額を算出する会計制御手段と、
前記第１収納部に収納された貨幣の全部又は一部を前記第２収納部に排出する排出要求に係る入力を受け付ける入力手段と、
前記入力手段が前記排出要求を受け付けたことを条件に、前記第２収納部に貨幣が収納されているかを前記オーバーフロー排出部の排出実績に基づいて判定する判定手段と、
前記判定手段が前記第２収納部に貨幣が収納されていると判定したことを条件に、前記表示部に前記第２収納部に収納されている貨幣の回収を要求する回収要求画面を表示させる表示制御手段と、
前記判定手段が前記第２収納部に貨幣が収納されていると判定した場合に、前記第２収納部が新たに取り付けられたことを前記検知部が検知したことを条件に、前記第１収納部に収納されている貨幣を前記第２収納部に排出させる排出制御手段と、
を備える会計装置。
【発明の詳細な説明】
【技術分野】
【０００１】
本発明の実施形態は、入出金装置、情報処理装置及び会計装置に関する。
【背景技術】
【０００２】
従来、ＰＯＳ（Point  Of  Sales）端末やＥＣＲ（Electronic  Cash  Register）等の電子機器に接続して用いられる入出金装置が知られている。このような入出金装置は、投入口から投入された貨幣を金種別に選別して収納部に収納し、ＰＯＳ端末等からの出金指示に基づいて収納部の貨幣を払い出すものである。
【０００３】
ところで、従来の入出金装置によれば、収納部が収納可能な貨幣の枚数の上限には限度があるため、溢れ出た貨幣は別の収納部に収納していた。また、入出金装置を設置した店舗の店員は、閉店処理や不具合が発生した際等に、入出金装置の収納部に収納された貨幣を回収している。
【０００４】
そこで、溢れ出た貨幣の収納と、貨幣の回収とを省スペース化を図りつつ、効率良く行うことが望まれている。例えば、単一の容器でどちらも行うことが考えられるが、収納部から溢れ出た貨幣と、収納部に収納された貨幣との両方をまとめて回収してしまうと、双方の貨幣が混じってしまう。
【発明の概要】
【発明が解決しようとする課題】
【０００５】
本発明が解決しようとする課題は、省スペース化を図りつつ効率良く貨幣を回収させることができる入出金装置、情報処理装置及び会計装置を提供することである。
【課題を解決するための手段】
【０００６】
実施形態の入出金装置は、第１収納部と、第２収納部と、オーバーフロー排出部と、検知部と、入力手段と、判定手段と、排出制御手段とを備える。前記第１収納部は、入金された貨幣を収納する。前記第２収納部は、着脱自在に設けられる。前記オーバーフロー排出部は、前記第１収納部が収納可能な収納枚数の上限を超えた貨幣を前記第２収納部に排出する。前記検知部は、前記第２収納部が取り付けられていることを検知する。前記入力手段は、前記第１収納部に収納された貨幣の全部又は一部を前記第２収納部に排出する排出要求に係る入力を受け付ける。前記判定手段は、前記入力手段が前記排出要求を受け付けたことを条件に、前記第２収納部に貨幣が収納されているかを前記オーバーフロー排出部の排出実績に基づいて判定する。前記排出制御手段は、前記判定手段が前記第２収納部に貨幣が収納されていると判定した場合に、前記第２収納部が新たに取り付けられたことを前記検知部が検知したことを条件に、前記第１収納部に収納されている貨幣を前記第２収納部に排出させる。
【図面の簡単な説明】
【０００７】
【図１】図１は、セルフＰＯＳ端末の外観を操作者側から見た斜視図である。
【図２】図２は、第１筐体の内部に収納された回収袋の外観の斜視図である。
【図３】図３は、セルフＰＯＳ端末のハードウェア構成を示すブロック図である。
【図４】図４は、セルフＰＯＳ端末の各装置が有する機能構成を示すブロック図である。
【図５】図５は、セット要求画面の一例を示す説明図である。
【図６】図６は、分別確認画面の一例を示す説明図である。
【図７】図７は、回収要求画面の一例を示す説明図である。
【図８】図８は、排出実行画面の一例を示す説明図である。
【図９】図９は、完了画面の一例を示す説明図である。
【図１０】図１０は、在り高レシートの一例を示す説明図である。
【図１１】図１１は、排出処理の一例を示すフローチャート図である。
【発明を実施するための形態】
【０００８】
以下、添付図面を参照して、入出金装置、情報処理装置及び会計装置の実施形態を詳細に説明する。なお、以下に説明する実施形態は、入出金装置、情報処理装置及び会計装置の一実施形態であって、その構成や仕様等を限定するものではない。本実施形態の入出金装置、情報処理装置及び会計装置は、スーパーマーケット等の店舗に導入された、一取引にかかる商品の登録・精算を顧客が行うセルフＰＯＳ（Point  Of  Sales）端末への適用例である。
【０００９】
図１は、セルフＰＯＳ端末１の外観を操作者側から見た斜視図である。そして、セルフＰＯＳ端末１は、商品販売データ処理における、販売対象の商品を登録する売上登録処理と、販売対象の商品として売上登録された商品の会計処理とを顧客が行う会計装置でもある。
【００１０】
セルフＰＯＳ端末１は、正面中央に、第１筐体１１を備える。そして、セルフＰＯＳ端末１は、第１筐体１１の上面に商品販売データ処理部１０を備える。また、セルフＰＯＳ端末１は、第１筐体１１の内部に入出金部２０（図３参照）を備える。
【００１１】
セルフＰＯＳ端末１は、正面右側に、売上登録されていない商品を入れたカゴを載置する第１荷置台３０を備える。また、セルフＰＯＳ端末１は、正面左側に、売上登録された商品を載置する第２荷置台４０を備える。図１に示すセルフＰＯＳ端末１は、第１荷置台３０及び第２荷置台４０を１台ずつ備えているが、複数台備えていてもよい。
【００１２】
第２荷置台４０は、売上登録した商品を置く台座４１を備える。また、第２荷置台４０は、売上登録した商品を入れる袋を吊り下げる袋掛けフック４２と、売上登録処理した商品の一時置台４３とを備える。袋掛けフック４２と、一時置台４３とは、台座４１に設けられた支柱４４に支持されて、台座４１の上方に位置している。
【００１３】
また、第１荷置台３０及び第２荷置台４０は、それぞれ計量部３０２、４０２（図３参照）を備える。これにより、第１荷置台３０及び第２荷置台４０は、売上登録の前後で商品の重量が同じであることを確認することができる。
【００１４】
第１筐体１１は、第１筐体下段カバー１１１と、第１筐体上段カバー１１２とを備える。第１筐体下段カバー１１１は、第１筐体１１の下段を覆うカバーである。第１筐体上段カバー１１２は、第１筐体１１の上段を覆うカバーである。そして、第１筐体１１は、第１筐体下段カバー１１１が開放されていることを条件に第１筐体上段カバー１１２を開放することができる。また、第１筐体１１は、第１筐体下段カバー１１１を施錠する第１電子ロック１０７（図３参照）と、第１筐体上段カバー１１２を施錠する第２電子ロック１０８（図３参照）とを備える。
【００１５】
第１筐体１１は、第１筐体上段カバー１１２が開放された内部に入出金部２０を備える。入出金部２０は、商品の代金や釣銭等の貨幣を収納する入出金装置である。そして、入出金部２０は、大別すると、硬貨を収納する硬貨入出金部５０（図３参照）と、紙幣を収納する紙幣入出金部６０（図３参照）とを備える。
【００１６】
第１筐体上段カバー１１２は、第１開口１１３と、第２開口１１４と、第３開口１１５と、第４開口１１６とを備える。第１開口１１３は、第１筐体１１の内部に収納された硬貨入出金部５０に硬貨を入金する硬貨投入口１１３ａ（図２参照）に重ね合わせる位置に設けられている。第２開口１１４は、第１筐体１１の内部に収納された硬貨入出金部５０から出金された硬貨を受ける硬貨払出口１１４ａ（図２参照）に重ね合わせる位置に設けられている。第３開口１１５は、第１筐体１１の内部に収納された紙幣入出金部６０に紙幣を入金する紙幣投入口（不図示）に重ね合わせる位置に設けられている。第４開口１１６は、第１筐体１１の内部に収納された紙幣入出金部６０から出金された紙幣を受ける紙幣払出口（不図示）に重ね合わせる位置に設けられている。
【００１７】
商品販売データ処理部１０は、商品販売データ処理の実行に用いられる各部を備える情報処理装置である。すなわち、商品販売データ処理部１０は、第２筐体１５と、表示部１６と、ハンディスキャナ１７と、カードリーダライタ１８と、パトランプ１９とを備える。
【００１８】
第２筐体１５は、第２筐体１５の上部に設けられた表示部１６を支持する。第２筐体１５は、第２筐体カバー１５１に覆われている。そして、第２筐体１５は、第２筐体カバー１５１の開閉を施錠する第３電子ロック１０９（図３参照）を備える。また、第２筐体１５は、第２筐体カバー１５１の内部に、スキャナ１０４（図３参照）と、プリンタ１０５（図３参照）と内蔵する。
【００１９】
第２筐体１５は、スキャナ１０４が商品の商品コード等を読み取る読取窓１０４ａを備える。読取窓１０４ａは、スキャナ１０４が射出したレーザ光を第２筐体１５の外部に透過させるとともに、レーザ光の反射光を第２筐体１５の内部に透過させる。なお、スキャナ１０４は、商品の画像を撮像し、撮像した画像から商品コード等を読み取るものであってもよい。
【００２０】
第２筐体１５は、プリンタ１０５が出力したレシート等を排出するレシート発行口１０５ａを備える。プリンタ１０５は、取引処理された商品の売上情報を用紙に印字したレシートをレシート発行口１０５ａから排出する。
【００２１】
ハンディスキャナ１７は、手持ち型のスキャナである。ハンディスキャナ１７は、商品が重い場合や商品が大きい場合等の商品を読取窓１０４ａにかざすことが困難な場合に使用される。
【００２２】
表示部１６は、例えば液晶ディスプレイ等である。表示部１６は、売上登録された商品の商品情報等を表示する。また、表示部１６は、セルフＰＯＳ端末１を操作するタッチパネル１６１（図３参照）を備える。タッチパネル１６１は、表示部１６上の操作（タッチ）された箇所を検知して、表示部１６が表示している表示要素に応じた操作が入力されたものとして判断する。これにより、タッチパネル１６１は、表示部１６が表示したキーが操作されたとして当該キーの操作を受け付ける。
【００２３】
カードリーダライタ１８は、クレジットカード等の決済に用いるカードの記憶媒体が記憶する情報の読み取り及び書き込みを実行する装置である。カードリーダライタ１８は、カードを挿入するカード挿入口１８ａを正面に備える。そして、カードリーダライタ１８は、カード挿入口１８ａに挿入されたカードの記憶媒体が記憶する情報の読み取り及び書き込みを実行する。一連の処理が完了するとカードリーダライタ１８は、カード挿入口１８ａに挿入されたカードを排出する。
【００２４】
パトランプ１９は、セルフＰＯＳ端末１に異常が発生したこと等を店員に通知する警告灯である。パトランプ１９は、例えばセルフＰＯＳ端末１に異常が発生した場合に赤色等で点滅する。
【００２５】
図２は、第１筐体１１の内部に収納された回収部７０の外観の斜視図である。ここで、入出金部２０は、第１収納部である硬貨収納部５０６（図３参照）及び紙幣収納部６０５（図３参照）に入金された貨幣を収納する。しかし、入出金部２０には、硬貨収納部５０６及び紙幣収納部６０５に収納可能な収納枚数の上限を超える貨幣が入金される場合もある。入出金部２０は、硬貨収納部５０６及び紙幣収納部６０５に収納可能な収納枚数の上限を超えた貨幣は回収部７０に排出する。第２収納部である回収部７０は、上限を超えた硬貨が排出される回収袋７１と、上限を超えた紙幣が排出される回収ボックス（不図示）とを備える。すなわち、回収袋７１は、硬貨収納部５０６が収納可能な収納枚数の上限を超える硬貨が入金されたことを条件に硬貨収納部５０６の上限を超えた硬貨を収納する袋である。回収袋７１は、図２に示すように第１筐体１１の内部に収納された入出金部２０の底面に着脱自在に取り付けられる。そして、回収ボックスは、紙幣収納部６０５が収納可能な収納枚数の上限を超える紙幣が入金されたことを条件に紙幣収納部６０５の上限を超えた紙幣を収納する箱である。回収ボックスは、第１筐体１１の内部に収納された入出金部２０に着脱自在に取り付けられる。また、回収袋７１は、入出金部２０が収納する硬貨の全部又は一部を回収に使用される。回収ボックスは、入出金部２０が収納する紙幣の全部又は一部を回収に使用される。
【００２６】
なお、回収部７０が紙幣と硬貨とを別々の容器に回収するのは一例であって、他の形態であってもよい。すなわち、回収部７０は、硬貨と紙幣とを同一の容器に収納する形態であってもよい。または、回収部７０は、硬貨は回収せずに紙幣を回収する形態であってもよい。または、回収部７０は、紙幣は回収せずに硬貨を回収する形態であってもよい。また、回収袋７１は、袋の形状に限らず、箱であってもよいし、トレイであってもよい。回収ボックスは、箱の形状に限らず、袋であってもよいし、トレイであってもよい。
【００２７】
また、回収部７０を備える入出金部２０は、第１筐体１１の内部に収納されている。そして、第１筐体１１は、第１電子ロック１０７（図３参照）に施錠された第１筐体下段カバー１１１と、第２電子ロック１０８（図３参照）に施錠された第１筐体上段カバー１１２とに覆われている。従って、第１電子ロック１０７及び第２電子ロック１０８は、回収部７０の取り外しを防止している。これにより、回収部７０は、盗難から守られている。
【００２８】
次に、セルフＰＯＳ端末１が有する各種機器の詳細について説明する。図３は、セルフＰＯＳ端末１のハードウェア構成を示すブロック図である。
【００２９】
商品販売データ処理部１０は、各種演算や商品販売データ処理部１０の各部を統括的に制御する制御部１０１を備える。そして、制御部１０１は、セルフＰＯＳ端末１の全体を制御する。すなわち、制御部１０１は、入出金部２０、第１荷置台３０及び第２荷置台４０にコマンド等を送信して各種処理を実行させる。また、制御部１０１は、入出金部２０、第１荷置台３０及び第２荷置台４０から各種処理の実行結果等を受信する。
【００３０】
制御部１０１は、ＣＰＵ（Central  Processing  Unit）、ＲＯＭ（Read  Only  Memory）、ＲＡＭ（Random  Access  Memory）、ＲＴＣ（Real  Time  Clock）等によって構成される。ＲＯＭは、各種プログラムやデータを記憶する記憶媒体である。ＲＡＭは、各種プログラムを一時的に記憶したり、各種データを書き換えたりする記憶媒体である。ＲＴＣは、現在の日時を計時する。
【００３１】
制御部１０１は、バス１１０を介して、記憶部１０２と、通信インタフェース１０３と、スキャナ１０４と、プリンタ１０５と、表示部１６と、タッチパネル１６１と、接続インタフェース１０６と、ハンディスキャナ１７と、カードリーダライタ１８と、パトランプ１９と、第１電子ロック１０７と、第２電子ロック１０８と、第３電子ロック１０９と接続している。
【００３２】
記憶部１０２は、例えば、ＨＤＤ（Hard  Disk  Drive）やＳＳＤ（Solid  State  Drive）等の記憶装置である。記憶部１０２は、商品販売データ処理を含む各種のＰＯＳ業務を実行するための制御プログラムＰＲ１や各種設定情報を記憶する。通信インタフェース１０３は、店舗内ネットワークと接続するインタフェースである。接続インタフェース１０６は、接続ケーブルＣ１を介して、入出金部２０と、第１荷置台３０と、第２荷置台４０と接続するインタフェースである。第１電子ロック１０７と、第２電子ロック１０８と、第３電子ロック１０９とは、制御部１０１によって開錠と施錠とが制御される。
【００３３】
入出金部２０は、入出金部２０の各部を統括的に制御する制御部２０１を備える。制御部２０１は、硬貨入出金部５０と紙幣入出金部６０の各部を制御して各種処理を実行する。
【００３４】
制御部２０１は、ＣＰＵ、ＲＯＭ、ＲＡＭ、ＲＴＣ等によって構成される。ＲＯＭは、各種プログラムやデータを記憶する記憶媒体である。ＲＡＭは、各種プログラムを一時的に記憶したり、各種データを書き換えたりする記憶媒体である。ＲＴＣは、現在の日時を計時する。
【００３５】
制御部２０１は、バス６１２を介して、記憶部２０２と、第１接続インタフェース２０３と、回収部センサ２０４と、紙幣入金センサ６０１と、紙幣入金部６０２と、紙幣識別センサ６０３と、紙幣搬送部６０４と、紙幣収納部６０５と、紙幣収納量センサ６０６と、紙幣排出部６０７と、紙幣排出量センサ６０８と、紙幣出金部６０９と、紙幣出金センサ６１０と、第２接続インタフェース６１１と接続している。
【００３６】
記憶部２０２は、例えば、ＨＤＤやＳＳＤ等の記憶装置である。記憶部２０２は、貨幣の入金や、出金や、排出等の各種処理を実行するための制御プログラムＰＲ２や各種設定情報を記憶する。第１接続インタフェース２０３は、接続ケーブルＣ１を介して、商品販売データ処理部１０と接続するインタフェースである。
【００３７】
検知部である回収部センサ２０４は、回収部７０が入出金部２０に取り付けられているか否かを検知する。すなわち、回収部センサ２０４は、回収袋７１及び回収ボックスが入出金部２０に取り付けられているか否かを検知する。
【００３８】
紙幣入金センサ６０１は、紙幣投入口に差し込まれた紙幣を検知する。紙幣入金部６０２は、紙幣入金センサ６０１が紙幣を検知したことを条件に、紙幣投入口に入金された紙幣を紙幣入出金部６０の内部に取り込む。紙幣識別センサ６０３は、紙幣入金部６０２が取り込んだ紙幣の金種を識別する。
【００３９】
紙幣搬送部６０４は、紙幣識別センサ６０３が識別した金種の紙幣を紙幣収納部６０５の収納庫に収納可能であることを条件に、紙幣収納部６０５に搬送する。また、紙幣搬送部６０４は、紙幣識別センサ６０３が識別した金種の紙幣を紙幣収納部６０５の収納庫に収納不可であることを条件に、紙幣排出部６０７に搬送する。すなわち、紙幣搬送部６０４は、紙幣収納部６０５の収納庫が収納可能な収納枚数の上限を超えた紙幣を紙幣排出部６０７に搬送する。
【００４０】
紙幣収納部６０５は、入金された紙幣を金種ごとに収納する収納庫を備える。そして、紙幣収納部６０５は、紙幣搬送部６０４が搬送した紙幣を、紙幣識別センサ６０３が識別した金種ごとに収納庫に収納する。紙幣収納量センサ６０６は、紙幣収納部６０５の収納庫が収納する紙幣の枚数を、金種ごとに検知する。
【００４１】
紙幣を排出するオーバーフロー排出部である紙幣排出部６０７は、紙幣搬送部６０４が搬送した紙幣を回収ボックスに排出する。紙幣排出量センサ６０８は、紙幣排出部６０７が排出する紙幣の枚数を、金種ごとに検知する。
【００４２】
紙幣出金部６０９は、商品販売データ処理部１０からの指示等に応じて、指示された金額の紙幣を紙幣収納部６０５の収納庫から紙幣払出口に搬送する。紙幣出金センサ６１０は、紙幣払出口に払い出された紙幣の取り残しを検知する。
【００４３】
第２接続インタフェース６１１は、接続ケーブルＣ２及び第３接続インタフェース５０１を介して、硬貨入出金部５０と接続するインタフェースである。第３接続インタフェース５０１は、接続ケーブルＣ２及び第２接続インタフェース６１１を介して、紙幣入出金部６０と接続するインタフェースである。
【００４４】
制御部２０１は、バス５１２を介して、第３接続インタフェース５０１と、硬貨入金センサ５０２と、硬貨入金部５０３と、硬貨識別センサ５０４と、硬貨搬送部５０５と、硬貨収納部５０６と、硬貨収納量センサ５０７と、硬貨排出部５０８と、硬貨排出量センサ５０９と、硬貨出金部５１０と、硬貨出金センサ５１１と接続している。
【００４５】
硬貨入金センサ５０２は、硬貨投入口１１３ａに投入された硬貨を検知する。硬貨入金部５０３は、硬貨入金センサ５０２が硬貨を検知したことを条件に、硬貨投入口１１３ａに入金された硬貨を硬貨入出金部５０の内部に取り込む。硬貨識別センサ５０４は、硬貨入金部５０３が取り込んだ硬貨の金種を識別する。
【００４６】
硬貨搬送部５０５は、硬貨識別センサ５０４が識別した金種の硬貨を硬貨収納部５０６の収納庫に収納可能であることを条件に、硬貨収納部５０６に搬送する。また、硬貨搬送部５０５は、硬貨識別センサ５０４が識別した金種の硬貨を硬貨収納部５０６の収納庫に収納不可であることを条件に、硬貨排出部５０８に搬送する。すなわち、硬貨搬送部５０５は、硬貨収納部５０６の収納庫が収納可能な収納枚数の上限を超えた硬貨を硬貨排出部５０８に搬送する。
【００４７】
硬貨収納部５０６は、入金された硬貨を金種ごとに収納する収納庫を備える。そして、硬貨収納部５０６は、硬貨搬送部５０５が搬送した硬貨を、硬貨識別センサ５０４が識別した金種ごとに収納庫に収納する。硬貨収納量センサ５０７は、硬貨収納部５０６の収納庫が収納する硬貨の枚数を、金種ごとに検知する。
【００４８】
硬貨を排出するオーバーフロー排出部である硬貨排出部５０８は、硬貨搬送部５０５が搬送した硬貨を回収袋７１に排出する。硬貨排出量センサ５０９は、硬貨排出部５０８が排出する硬貨の枚数を、金種ごとに検知する。
【００４９】
硬貨出金部５１０は、商品販売データ処理部１０からの指示等に応じて、指示された金額の硬貨を硬貨収納部５０６の収納庫から硬貨払出口に搬送する。硬貨出金センサ５１１は、硬貨払出口に払い出された硬貨の取り残しを検知する。
【００５０】
第１荷置台３０は、接続インタフェース３０１と計量部３０２とを備える。第１荷置台３０は、バス３０３を介して、接続インタフェース３０１と計量部３０２とを接続している。接続インタフェース３０１は、接続ケーブルＣ１を介して、商品販売データ処理部１０と接続するインタフェースである。計量部３０２は、第１荷置台３０に置かれた商品の重量を計量するロードセルユニットである。そして、第１荷置台３０は、第１荷置台３０に置かれた商品の重量を商品販売データ処理部１０に出力することができる。
【００５１】
第２荷置台４０は、接続インタフェース４０１と計量部４０２とを備える。第２荷置台４０は、バス４０３を介して、接続インタフェース４０１と計量部４０２とを接続している。接続インタフェース４０１は、接続ケーブルＣ１を介して、商品販売データ処理部１０と接続するインタフェースである。計量部４０２は、第２荷置台４０に置かれた商品の重量を計量するロードセルユニットである。すなわち、第２荷置台４０は、第２荷置台４０に置かれた商品の重量を商品販売データ処理部１０に出力することができる。
【００５２】
次に、セルフＰＯＳ端末１の各装置が有する特徴的な機能について説明する。ここで、図４は、セルフＰＯＳ端末１の各装置が有する機能構成を示すブロック図である。
【００５３】
まず、商品販売データ処理部１０の機能構成について説明する。
【００５４】
制御部１０１のＣＰＵは、記憶部１０２の制御プログラムＰＲ１をＲＡＭに展開し、制御プログラムＰＲ１に従って動作することで、図４に示す各機能部をＲＡＭ上に生成する。具体的には、制御部１０１は、機能部として、売上登録部１００１と、会計処理部１００２と、表示制御部１００３と、印字制御部１００４と、電子ロック制御部１００５と、通信制御部１００６とを備える。
【００５５】
売上登録部１００１は、商品販売データ処理における、販売対象の商品を登録する売上登録処理を制御する。すなわち、売上登録部１００１は、スキャナ１０４又はハンディスキャナ１７が受け付けた商品コードの商品を売上登録する。また、売上登録部１００１は、一取引に係る売上登録した商品の代金の合計金額を算出する。
【００５６】
会計処理部１００２は、入出金部２０と協働で、販売対象の商品の会計処理を実行する。すなわち、会計処理部１００２は、売上登録部１００１が算出した合計金額を入出金部２０に送信する。入出金部２０は、硬貨投入口１１３ａ又は紙幣投入口から入金された貨幣を収納する。そして、入出金部２０は、入金された合計金額を会計処理部１００２に送信する。会計制御手段である会計処理部１００２は、入金された合計金額と、売上登録部１００１が算出した合計金額とから釣銭額を算出する。そして、会計処理部１００２は、算出した釣銭額を入出金部２０に送信する。入出金部２０は、受信した釣銭額を硬貨払出口１１４ａ又は紙幣払出口から出金する。なお、釣銭額は、入出金部２０が算出してもよい。
【００５７】
表示制御部１００３は、表示部１６を制御して、各種画面を表示させる。表示制御部１００３は、例えば、売上登録処理に係る各種画面や、会計処理に係る各種画面を表示させる。また、表示制御部１００３は、通信制御部１００６が異常発生通知を受信したことを条件に、入出金部２０に異常が発生したことを報知する画面を表示させる。
【００５８】
または、表示制御部１００３は、硬貨収納部５０６及び紙幣収納部６０５に収納された貨幣を回収部７０に排出する排出処理に係る各種画面を表示させる。具体的には、表示制御部１００３は、セット要求画面の表示を要求する表示要求コマンドを入出金部２０から受信したことを条件に、表示部１６にセット要求画面を表示させる。ここで、図５は、セット要求画面Ｇ１の一例を示す説明図である。セット要求画面Ｇ１は、入出金部２０に回収部７０の取り付けを要求する画面である。表示制御部１００３は、例えば「回収部を取り付けて下さい」等のメッセージを表示して回収部７０の取り付けを要求する。なお、セット要求画面Ｇ１は、回収袋７１と回収ボックスとの何れか一方を指定して取り付けを要求する画面であってもよい。この場合には、表示制御部１００３は、「回収袋を取り付けて下さい」又は「回収ボックスを取り付けて下さい」等のメッセージを表示する。
【００５９】
または、表示制御部１００３は、分別確認画面の表示を要求する表示要求コマンドを入出金部２０から受信したことを条件に、表示部１６に分別確認画面を表示させる。ここで、図６は、分別確認画面Ｇ２の一例を示す説明図である。分別確認画面Ｇ２は、回収部７０に溢れ出た貨幣と、入出金部２０に収納された貨幣とを混合して回収するか否かを確認する画面である。表示制御部１００３は、例えば「溢れ出た貨幣と入出金部が収納した金とを混合して回収しますか」等のメッセージを表示して確認を求める。また、分別確認画面Ｇ２は、混合ボタンＢ２１と、分別ボタンＢ２２とを備える。混合ボタンＢ２１は、回収部７０に収納された貨幣と、入出金部２０に収納された貨幣とを混合して回収することを入力するボタンである。分別ボタンＢ２２は、回収部７０に収納された貨幣と、入出金部２０に収納された貨幣とを分別して回収することを入力するボタンである。
【００６０】
または、表示制御手段である表示制御部１００３は、回収要求画面の表示を要求する表示要求コマンドを入出金部２０から受信したことを条件に、表示部１６に回収要求画面を表示させる。ここで、図７は、回収要求画面Ｇ３の一例を示す説明図である。回収要求画面Ｇ３は、回収部７０を取り外して、回収部７０に収納された貨幣の回収を要求する画面である。回収要求画面Ｇ３は、例えば「回収部を取り外して溢れ出た貨幣を回収して下さい」等のメッセージを表示して回収を求める。なお、回収要求画面Ｇ３は、回収袋７１と回収ボックスとの何れか一方を指定して回収を要求する画面であってもよい。この場合には、表示制御部１００３は、「回収袋を取り外して溢れ出た貨幣を回収して下さい」又は「回収ボックスを取り外して溢れ出た貨幣を回収して下さい」等のメッセージを表示する。
【００６１】
または、表示制御部１００３は、排出実行画面の表示を要求する表示要求コマンドを入出金部２０から受信したことを条件に、表示部１６に排出実行画面を表示させる。ここで、図８は、排出実行画面Ｇ４の一例を示す説明図である。排出実行画面Ｇ４は、入出金部２０に収納された貨幣を回収部７０に排出中であることを示す画面である。排出実行画面Ｇ４は、例えば「排出を実行中」等のメッセージを表示する。
【００６２】
または、表示制御部１００３は、完了画面の表示を要求する表示要求コマンドを入出金部２０から受信したことを条件に、表示部１６に完了画面を表示させる。ここで、図９は、完了画面Ｇ５の一例を示す説明図である。完了画面Ｇ５は、入出金部２０に収納された貨幣の回収部７０への排出が完了したため、回収部７０の取り外しを要求する画面である。完了画面Ｇ５は、例えば「回収部を取り外して下さい」等のメッセージを表示して回収部７０の取り外しを求める。なお、完了画面Ｇ５は、回収袋７１と回収ボックスとの何れか一方を指定して取り外しを要求する画面であってもよい。この場合には、表示制御部１００３は、「回収袋を取り外して下さい」又は「回収ボックスを取り外して下さい」等のメッセージを表示する。
【００６３】
印字制御部１００４は、プリンタ１０５を制御して、各種情報を印字させる。印字制御部１００４は、例えば、入出金部２０の収納庫に収納しきれずに、回収部７０に溢れ出た貨幣の在り高を示した在り高レシートをプリンタ１０５に印字させる。ここで、図１０は、在り高レシートＲ１の一例を示す説明図である。在り高レシートＲ１は、表題Ｒ１１と、発行日時Ｒ１２と、入出金部識別情報Ｒ１３と、明細Ｒ１４と、合計Ｒ１５とを備える。表題Ｒ１１は、レシートの表題として在り高レシートであることを示す。発行日時Ｒ１２は、在り高レシートＲ１を発行した日時を示す。入出金部識別情報Ｒ１３は、回収部７０が取り付けられていた入出金部２０を識別可能な識別情報を示す。明細Ｒ１４は、回収部７０に収納された貨幣の金種ごとの枚数を示す。合計Ｒ１５は、回収部７０に収納された貨幣の合計を示す。なお、在り高レシートＲ１は、回収袋７１に収納された硬貨と回収ボックスに収納された紙幣と別々の領域に印字する形態であってもよい。または、在り高レシートＲ１は、回収袋７１に収納された硬貨と回収ボックスに収納された紙幣とを別々の用紙に印字する形態であってもよい。
【００６４】
電子ロック制御部１００５は、セルフＰＯＳ端末１の各部の電子ロックを制御する。電子ロック制御部１００５は、タッチパネル１６１からの操作に応じて、指定された箇所の電子ロックを開錠する。または、電子ロック制御部１００５は、入出金部２０からの開錠要求コマンドに応じて、指定された箇所の電子ロックを開錠する。これにより、電子ロック制御部１００５は、第１電子ロック１０７と、第２電子ロック１０８と、第３電子ロック１０９との一つ又は複数を開錠する。また、電子ロック制御部１００５は、第１筐体下段カバー１１１が閉じられたことを条件に第１電子ロック１０７を施錠する。また、電子ロック制御部１００５は、第１筐体上段カバー１１２が閉じられたことを条件に第２電子ロック１０８を施錠する。また、電子ロック制御部１００５は、第２筐体カバー１５１が閉じられたことを条件に第３電子ロック１０９を施錠する。
【００６５】
通信制御部１００６は、接続インタフェース１０６を制御して、入出金部２０と、第１荷置台３０と、第２荷置台４０とを通信する。例えば、通信制御部１００６は、第１電子ロック１０７及び第２電子ロック１０８の開錠を要求する開錠要求コマンドを受信する。または、受信手段である通信制御部１００６は、各種画面を表示させることを要求する表示要求コマンドを受信する。または、通信制御部１００６は、入出金部２０に異常が発生したことを示す異常発生通知を受信する。または、通信制御部１００６は、入出金部２０の収納庫に収納しきれず回収部７０に排出された貨幣の在り高を示した在り高レシート情報を受信する。
【００６６】
通信制御部１００６は、分別確認画面Ｇ２の混合ボタンＢ２１が押下されたことを条件に、回収部７０に溢れ出た貨幣と、収納庫に収納された貨幣とを混合して回収する混合要求コマンドを送信する。または、通信制御部１００６は、分別確認画面Ｇ２の分別ボタンＢ２２が押下されたことを条件に、回収部７０に溢れ出た貨幣と、収納庫に収納された貨幣とを分別して回収する分別要求コマンドを送信する。
【００６７】
次に、入出金部２０の機能構成について説明する。
【００６８】
制御部２０１のＣＰＵは、記憶部２０２の制御プログラムＰＲ２をＲＡＭに展開し、制御プログラムＰＲ２に従って動作することで、図４に示す各機能部をＲＡＭ上に生成する。具体的には、制御部２０１は、機能部として、通信制御部２００１と、入金制御部２００２と、オーバーフロー計数部２００３と、出金制御部２００４と、異常検知制御部２００５と、排出制御部２００６とを備える。
【００６９】
通信制御部２００１は、第１接続インタフェース２０３を制御して、商品販売データ処理部１０と、第１荷置台３０と、第２荷置台４０とを通信する。例えば、通信制御部２００１は、第１電子ロック１０７及び第２電子ロック１０８の開錠を要求する開錠要求コマンドを送信する。または、送信手段である通信制御部２００１は、各種画面を表示させることを要求する表示要求コマンドを送信する。または、通信制御部２００１は、異常が発生したことを示す異常発生通知を送信する。または、通信制御部２００１は、入出金部２０の収納庫に収納しきれず回収部７０に排出された貨幣の在り高を示した在り高レシート情報を送信する。
【００７０】
または、通信制御部２００１は、回収部７０に溢れ出た貨幣と、収納庫に収納された貨幣とを混合して回収する混合要求コマンドを受信する。または、通信制御部２００１は、回収部７０に溢れ出た貨幣と、収納庫に収納された貨幣とを分別して回収する分別要求コマンドを受信する。
【００７１】
入金制御部２００２は、硬貨投入口１１３ａ又は紙幣投入口に投入された貨幣の入金を制御する。そして、入金制御部２００２は、硬貨収納部５０６及び紙幣収納部６０５に入金された貨幣を収納する。
【００７２】
まず、入金制御部２００２が制御する硬貨入出金部５０について説明する。入金制御部２００２は、硬貨入金センサ５０２が硬貨を検知したことを条件に、硬貨入金部５０３に入金された硬貨を入出金部２０の内部に搬送させる。入金制御部２００２は、入出金部２０の内部に搬送された硬貨の金種を、硬貨識別センサ５０４の出力に基づいて識別する。そして、入金制御部２００２は、硬貨収納量センサ５０７が検知した硬貨の収納枚数に基づいて、識別した金種の硬貨を硬貨収納部５０６に収納させることが可能である否かを判定する。すなわち、入金制御部２００２は、硬貨収納部５０６に収納可能な枚数の上限未満であるか否かを判定する。入金制御部２００２は、硬貨収納部５０６に収納させることが可能であることを条件に、硬貨収納部５０６を搬送先に指定して硬貨搬送部５０５に硬貨を搬送させる。そして、入金制御部２００２は、硬貨収納部５０６に硬貨搬送部５０５が搬送した硬貨を収納庫へ収納させる。一方、入金制御部２００２は、硬貨収納部５０６に収納させることが不可能であることを条件に、硬貨排出部５０８を搬送先に指定して硬貨搬送部５０５に硬貨を搬送させる。そして、入金制御部２００２は、硬貨排出部５０８に硬貨搬送部５０５が搬送した硬貨を回収袋７１へ排出させる。
【００７３】
また、入金制御部２００２は、紙幣入出金部６０についても同様に処理する。まず、入金制御部２００２は、紙幣入金センサ６０１が紙幣を検知したことを条件に、紙幣入金部６０２に入金された紙幣を入出金部２０の内部に搬送させる。入金制御部２００２は、入出金部２０の内部に搬送された紙幣の金種を、紙幣識別センサ６０３の出力に基づいて識別する。入金制御部２００２は、紙幣収納量センサ６０６が検知した紙幣の収納枚数に基づいて、識別した金種の紙幣を紙幣収納部６０５に収納させることが可能である否かを判定する。すなわち、入金制御部２００２は、紙幣収納部６０５に収納可能な枚数の上限未満であるか否かを判定する。入金制御部２００２は、紙幣収納部６０５に収納させることが可能であることを条件に、紙幣収納部６０５を搬送先に指定して紙幣搬送部６０４に紙幣を搬送させる。そして、入金制御部２００２は、紙幣収納部６０５に紙幣搬送部６０４が搬送した紙幣を収納庫へ収納させる。一方、入金制御部２００２は、紙幣収納部６０５に収納させることが不可であることを条件に、紙幣排出部６０７を搬送先に指定して紙幣搬送部６０４に紙幣を搬送させる。そして、入金制御部２００２は、紙幣排出部６０７に紙幣搬送部６０４が搬送した紙幣を回収ボックスへ排出させる。
【００７４】
オーバーフロー計数部２００３は、硬貨排出部５０８及び紙幣排出部６０７の排出実績を数える。すなわち、オーバーフロー計数部２００３は、硬貨排出量センサ５０９が検知した金種ごとの硬貨の枚数に基づいて、硬貨収納部５０６に収納可能な枚数以上の硬貨が入金されたために、回収袋７１に排出された硬貨の枚数を数える。また、オーバーフロー計数部２００３は、紙幣排出量センサ６０８が検知した金種ごとの紙幣の枚数に基づいて、紙幣収納部６０５に収納可能な枚数以上の紙幣が入金されたために、回収ボックスに排出された紙幣の枚数を数える。そして、オーバーフロー計数部２００３は、回収袋７１が取り外されたことを回収部センサ２０４が検知したことを条件に、数えていた硬貨の枚数をゼロにする。また、オーバーフロー計数部２００３は、回収ボックスが取り外されたことを回収部センサ２０４が検知したことを条件に、数えていた紙幣の枚数をゼロにする。
【００７５】
出金制御部２００４は、紙幣収納部６０５及び硬貨収納部５０６に収納された貨幣の出金を制御する。すなわち、出金制御部２００４は、釣銭を紙幣収納部６０５及び硬貨収納部５０６から出金する。
【００７６】
異常検知制御部２００５は、貨幣の収納の異常を検知する。すなわち、異常検知制御部２００５は、各種センサの不整合を異常として検知する。例えば、異常検知制御部２００５は、紙幣収納部６０５が紙幣を収納した後において、紙幣収納量センサ６０６が検知した紙幣の増加枚数と、紙幣識別センサ６０３が検知した入金された紙幣の枚数とに不整合があることを条件に異常が発生したと判定する。そして、異常検知制御部２００５は、異常が発生していると判定したことを条件に、異常が発生したことを示す異常発生通知を、通信制御部２００１に送信させる。
【００７７】
排出制御部２００６は、紙幣収納部６０５の収納庫及び硬貨収納部５０６の収納庫に収納された貨幣の回収部７０への排出処理を制御する。排出処理には、一括排出と、金種別排出と、残置排出とがある。一括排出は、紙幣収納部６０５の収納庫及び硬貨収納部５０６の収納庫に収納された貨幣の全部を一括で排出する処理である。金種別排出は、指定された金種の貨幣を紙幣収納部６０５の収納庫及び硬貨収納部５０６の収納庫から排出する処理である。一括排出及び金種別排出は、異常検知制御部２００５が異常を検知した場合等において、異常状態から復旧させる時などに実行される。残置排出は、予め定められた枚数の貨幣を残して、紙幣収納部６０５の収納庫及び硬貨収納部５０６の収納庫に収納された貨幣の特定の貨幣を排出する処理である。残置排出は、例えば、次の営業日で使用する釣銭を残して、本日の売上を回収する場合等に実行される。
【００７８】
入力手段である排出制御部２００６は、紙幣収納部６０５の収納庫及び硬貨収納部５０６の収納庫に収納された貨幣の全部又は一部を回収部７０に排出する排出要求に係る入力を受け付ける。排出要求は、異常状態から復旧させる異常解除キーや、一括排出させる一括排出キーや、残置排出させる残置排出キーが押下されたことを条件に入力される。なお、異常解除キーや、一括排出キーや、残置排出キーはハードキーであってもよいし、ソフトキーであってもよい。ハードキーは、商品販売データ処理部１０に備えられていてもよいし、入出金部２０に備えられていてもよい。また、ソフトキーは、例えば、商品販売データ処理部１０の表示部１６に表示されたキー等である。
【００７９】
排出制御部２００６は、排出要求に係る入力を受け付けたことを条件に、回収部７０が取り付けられていることを回収部センサ２０４が検知するか否かを判定する。そして、排出制御部２００６は、回収部７０が取り付けられていないことを条件に、第１電子ロック１０７及び第２電子ロック１０８の開錠を要求する開錠要求コマンドを通信制御部２００１に送信させる。また、排出制御部２００６は、セット要求画面Ｇ１の表示を要求する表示要求コマンドを通信制御部２００１に送信させる。これにより、排出制御部２００６は、回収部７０の取り付けを要求する。なお、排出制御部２００６は、回収袋７１と、回収ボックスとの何れか一方を指定した、セット要求画面Ｇ１の表示要求コマンドを通信制御部２００１に送信させてもよい。
【００８０】
また、判定手段である排出制御部２００６は、排出要求に係る入力を受け付けた際に回収部７０が取り付けられていることを条件に、溢れ出た貨幣が回収部７０に収納されているか否かを判定する。具体的には、排出制御部２００６は、オーバーフロー計数部２００３が数えた排出実績に基づいて、溢れ出た貨幣が回収部７０に収納されているか否かを判定する。排出制御部２００６は、溢れ出た貨幣が回収部７０に収納されていることを条件に、分別確認画面Ｇ２の表示を要求する表示要求コマンドを通信制御部２００１に送信させる。そして、排出制御部２００６は、回収部７０に溢れ出た貨幣と、収納庫に収納された貨幣とを分別して回収する分別要求コマンドを受信するか否かを判定する。排出制御部２００６は、分別要求コマンドを受信したことを条件に、第１電子ロック１０７及び第２電子ロック１０８の開錠を要求する開錠要求コマンドを通信制御部２００１に送信させる。さらに、排出制御部２００６は、回収要求画面Ｇ３の表示を要求する表示要求コマンドを通信制御部２００１に送信させる。なお、排出制御部２００６は、回収袋７１と、回収ボックスとの何れか一方を指定した、回収要求画面Ｇ３の表示要求コマンドを通信制御部２００１に送信させてもよい。また、排出制御部２００６は、回収部７０が取り外されたことを回収部センサ２０４が検知したことを条件に、回収部７０に溢れ出た貨幣の在り高を示す在り高レシート情報を通信制御部２００１に送信させる。
【００８１】
一方、排出制御部２００６は、分別要求コマンドを受信しないことを条件に、回収部７０に溢れ出た貨幣と、収納庫に収納された貨幣とを混合して回収する混合要求コマンドを受信するか否かを判定する。排出制御部２００６は、混合要求コマンドを受信したことを条件に、回収部７０に溢れ出た貨幣を回収させる処理は実行しない。
【００８２】
そして、排出制御部２００６は、排出実行画面Ｇ４の表示を要求する表示要求コマンドを通信制御部２００１に送信させる。また、排出制御部２００６は、紙幣排出部６０７に紙幣収納部６０５の収納庫及び硬貨収納部５０６の収納庫に収納された貨幣を回収部７０に排出させる。
【００８３】
さらに詳しくは、排出制御部２００６は、回収部７０が取り付けられていなかった場合には、回収部７０が取り付けられたことを回収部センサ２０４が検知したことを条件に貨幣を回収部７０に排出させる。また、回収部７０に溢れ出た貨幣がない場合には、排出制御部２００６は、特別な条件は無く、貨幣を回収部７０に排出させる。また、分別要求コマンドを受信した場合には、排出制御手段である排出制御部２００６は、回収部７０に貨幣が収納されていると判定した場合に、回収部７０が新たに取り付けられたことを回収部センサ２０４が検知したことを条件に、貨幣を回収部７０に排出させる。また、混合要求コマンドを受信した場合には、排出制御部２００６は、回収部センサ２０４が回収部７０の取り外しを検知しなくても、貨幣を回収部７０に排出させる。
【００８４】
排出制御部２００６は、排出が完了したことを条件に、第１電子ロック１０７及び第２電子ロック１０８の開錠を要求する開錠要求コマンドを通信制御部２００１に送信させる。また、排出制御部２００６は、完了画面Ｇ５の表示を要求する表示要求コマンドを通信制御部２００１に送信させる。これにより、排出制御部２００６は、回収部７０を取り外して貨幣の回収を要求する。なお、排出制御部２００６は、回収袋７１と、回収ボックスとの何れか一方を指定した、完了画面Ｇ５の表示要求コマンドを通信制御部２００１に送信させてもよい。
【００８５】
次に、セルフＰＯＳ端末１の各装置が実行する管理処理について説明する。ここで、図１１は、実施の形態の入出金部２０が実行する排出処理の一例を示すフローチャート図である。
【００８６】
まず、入出金部２０の排出制御部２００６は、入出金部２０に回収部７０が取り付けられているか否かを判定する（ステップＳ１）。
【００８７】
入出金部２０に回収部７０が取り付けられていないことを条件に（ステップＳ１；Ｎｏ）、入出金部２０の通信制御部２００１は、電子ロックを開錠する開錠要求コマンドを商品販売データ処理部１０に送信する（ステップＳ２）。
【００８８】
次いで、入出金部２０の通信制御部２００１は、回収部７０の取り付けを要求するセット要求画面Ｇ１の表示要求コマンドを商品販売データ処理部１０に送信する（ステップＳ３）。なお、通信制御部２００１は、セット要求画面Ｇ１の表示要求コマンドを送信する前に、電子ロックを開錠する開錠要求コマンドを送信している。しかし、通信制御部２００１は、セット要求画面Ｇ１の表示要求コマンドを送信した後に、電子ロックを開錠する開錠要求コマンドを送信してもよい。
【００８９】
一方、入出金部２０に回収部７０が取り付けられていることを条件に（ステップＳ１；Ｙｅｓ）、入出金部２０の排出制御部２００６は、回収部７０に溢れ出た貨幣が収納されているか否かを判定する（ステップＳ４）。回収部７０に溢れ出た貨幣が収納されていないことを条件に（ステップＳ４；Ｎｏ）、入出金部２０の排出制御部２００６は、ステップＳ１３に移行する。
【００９０】
一方、回収部７０に溢れ出た貨幣が収納されていることを条件に（ステップＳ４；Ｙｅｓ）、入出金部２０の通信制御部２００１は、分別確認画面Ｇ２の表示要求コマンドを商品販売データ処理部１０に送信する（ステップＳ５）。
【００９１】
次いで、入出金部２０の通信制御部２００１は、回収部７０に溢れ出た貨幣と、収納庫に収納された貨幣とを混合で回収する混合要求コマンドを受信するか否かを判定する（ステップＳ６）。混合要求コマンドを受信したことを条件に（ステップＳＳ６；Ｙｅｓ）、入出金部２０の通信制御部２００１は、ステップＳ１３に移行する。
【００９２】
一方、混合要求コマンドを受信していないことを条件に（ステップＳＳ６；Ｎｏ）、入出金部２０の通信制御部２００１は、回収部７０に溢れ出た貨幣と、収納庫に収納された貨幣とを分けて回収する分別要求コマンドを受信するか否かを判定する（ステップＳ７）。分別要求コマンドを受信していないことを条件に（ステップＳ７；Ｎｏ）、入出金部２０の通信制御部２００１は、ステップＳ６に移行する。
【００９３】
一方、分別要求コマンドを受信してしたことを条件に（ステップＳ７；Ｙｅｓ）、入出金部２０の通信制御部２００１は、電子ロックを開錠する開錠要求コマンドを商品販売データ処理部１０に送信する（ステップＳ８）。
【００９４】
次いで、入出金部２０の通信制御部２００１は、回収要求画面Ｇ３の表示要求コマンドを商品販売データ処理部１０に送信する（ステップＳ９）。なお、通信制御部２００１は、回収要求画面Ｇ３の表示要求コマンドを送信する前に、電子ロックを開錠する開錠要求コマンドを送信している。しかし、通信制御部２００１は、回収要求画面Ｇ３の表示要求コマンドを送信した後に、電子ロックを開錠する開錠要求コマンドを送信してもよい。
【００９５】
次いで、入出金部２０の排出制御部２００６は、回収部７０が取り外されたことを回収部センサ２０４が検知したか否かを判定する（ステップＳ１０）。回収部７０が取り外されたことを回収部センサ２０４が検知していないことを条件に（ステップＳ１０；Ｎｏ）、入出金部２０の排出制御部２００６は、溢れ出た貨幣の在り高を有する在り高レシート情報の送信を待機する。
【００９６】
次いで、回収部７０が取り外されたことを回収部センサ２０４が検知したことを条件に（ステップＳ１０；Ｙｅｓ）、入出金部２０の通信制御部２００１は、在り高レシート情報を送信する（ステップＳ１１）。
【００９７】
次いで、入出金部２０の排出制御部２００６は、回収部センサ２０４が回収部７０を検知したか否かを判定する（ステップＳ１２）。回収部センサ２０４が回収部７０を検知していないことを条件に（ステップＳ１２；Ｎｏ）、入出金部２０の排出制御部２００６は、排出実行画面Ｇ４の表示要求コマンドの送信を待機する。
【００９８】
一方、回収部センサ２０４が回収部７０を検知したことを条件に（ステップＳ１０；Ｙｅｓ）、入出金部２０の通信制御部２００１は、排出実行画面Ｇ４の表示要求コマンドを商品販売データ処理部１０に送信する（ステップＳ１３）。
【００９９】
次いで、入出金部２０の排出制御部２００６は、入出金部２０に格納された貨幣を排出する（ステップＳ１４）。
【０１００】
次いで、入出金部２０の排出制御部２００６は、貨幣の排出が完了したか否かを判定する（ステップＳ１５）。貨幣の排出が完了していないことを条件に（ステップＳ１５；Ｎｏ）、入出金部２０の排出制御部２００６は、電子ロックを開錠する開錠要求コマンドの送信を待機する。
【０１０１】
一方、貨幣の排出が完了したことを条件に（ステップＳ１５；Ｙｅｓ）、入出金部２０の通信制御部２００１は、電子ロックを開錠する開錠要求コマンドを商品販売データ処理部１０に送信する（ステップＳ１６）。
【０１０２】
次いで、入出金部２０の通信制御部２００１は、完了画面Ｇ５の表示要求コマンドを商品販売データ処理部１０に送信する（ステップＳ１７）。なお、通信制御部２００１は、完了画面Ｇ５の表示要求コマンドを送信する前に、電子ロックを開錠する開錠要求コマンドを送信している。しかし、通信制御部２００１は、完了画面Ｇ５の表示要求コマンドを送信した後に、電子ロックを開錠する開錠要求コマンドを送信してもよい。
【０１０３】
以上により、入出金部２０は、排出処理を完了する。
【０１０４】
以上のように、本実施形態に係る入出金部２０は、入金された貨幣を収納する紙幣収納部６０５及び硬貨収納部５０６と、溢れ出た貨幣を収納する回収部７０と、回収部７０の有無を検知する回収部センサ２０４とを備える。排出制御部２００６は、収納庫に収納された貨幣を回収部７０に排出する排出要求に係る入力を受け付ける。そして、通信制御部２００１は、回収部７０に溢れ出た貨幣があることを条件に、回収部７０に収納された貨幣の回収を要求する回収要求画面Ｇ３を表示部１６に表示させることを要求する表示要求コマンドを送信する。排出制御部２００６は、回収要求画面Ｇ３の表示要求コマンドを送信した後に、回収部７０が新たに取り付けられたことを回収部センサ２０４が検知したことを条件に、紙幣収納部６０５及び硬貨収納部５０６に収納されている貨幣を排出させる。従って、入出金部２０は、回収部７０に溢れ出た貨幣と、紙幣収納部６０５及び硬貨収納部５０６に収納されている貨幣とを混ぜることなく、省スペース化を図りつつ効率良く貨幣を回収させることができる。
【０１０５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０６】
また、上記実施形態では、セルフＰＯＳ端末１が入出金部２０を備えている。しかしながら、入出金部２０は、他の装置が備えていてもよい。例えば、商品の売上登録は店員が行うが会計処理は顧客が行うセミセルフチェックアウトシステムの会計装置が入出金部２０を備えていてもよい。または、店員が操作するＰＯＳ端末が入出金部２０を備えていてもよい。
【０１０７】
また、上記実施形態では、電子ロックは、第１筐体下段カバー１１１と、第１筐体上段カバー１１２と、第２筐体カバー１５１とに備えられている。しかし、電子ロックは、他の箇所に設けられていてもよい。例えば、電子ロックは、入出金部２０自体に設けられてもよい。そして、電子ロックは、入出金部２０の開閉や、回収部７０の取り外しを制限する。
【０１０８】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１０９】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【０１１０】
１  セルフＰＯＳ端末
１０  商品販売データ処理部
１０１  制御部
１００１  売上登録部
１００２  会計処理部
１００３  表示制御部
１００４  印字制御部
１００５  電子ロック制御部
１００６  通信制御部
２０  入出金部
２０１  制御部
２００１  通信制御部
２００２  入金制御部
２００３  オーバーフロー計数部
２００４  出金制御部
２００５  異常検知制御部
２００６  排出制御部
２０４  回収部センサ
７０  回収部
７１  回収袋
【先行技術文献】
【特許文献】
【０１１１】
【特許文献１】特開２０１４−５２７３１号公報
【図１】
0006685724.tif 000002
【図２】
0006685724.tif 000003
【図３】
0006685724.tif 000004
【図４】
0006685724.tif 000005
【図５】
0006685724.tif 000006
【図６】
0006685724.tif 000007
【図７】
0006685724.tif 000008
【図８】
0006685724.tif 000009
【図９】
0006685724.tif 000010
【図１０】
0006685724.tif 000011
【図１１】
0006685724.tif 000012